(57)【特許請求の範囲】
【請求項１】
非貫通の注水孔が同軸に設けられた円柱状の供試体の透水係数を算定する方法であって、
透水試験時の供試体内の流れが二次元の放射流であると仮定した場合の仮の透水係数を、注水孔の非貫通効果を表す換算係数で換算することにより、透水係数を算定するものであり、
下記の式により供試体の透水係数ｋ［ｍ／ｓ］を算定することを特徴とする透水係数の簡易算定方法。
【数１１】
0005541523.tif 000012
ここに、Ｑは透水試験時に計測された流量［ｍ３／ｓ］、πは円周率、Δｈは注水孔側の間隙水圧の水頭ｈ１［ｍ］と供試体側面側の間隙水圧の水頭ｈ２［ｍ］の水頭差（ｈ１−ｈ２）［ｍ］、ｒ１は注水孔の半径［ｍ］、ｒ２は供試体の半径［ｍ］、Ｌ２は供試体の高さ［ｍ］である。また、ａはｒ１／ｒ２とＬ１／Ｌ２の関係に基づいて決定する換算係数であり、Ｌ１は注水孔の深さ［ｍ］である。
【請求項２】
非貫通の注水孔が同軸に設けられた円柱状の供試体の透水係数を算定する方法であって、
透水試験時の供試体内の流れが二次元の放射流であると仮定した場合の仮の透水係数を、注水孔の非貫通効果を表す換算係数で換算することにより、透水係数を算定するものであり、
下記の式により供試体の透水係数ｋ［ｍ／ｓ］を算定することを特徴とする透水係数の簡易算定方法。
【数１２】
0005541523.tif 000013
ただし、上記の式中のｂは、下記の式で与えられる。
【数１３】
0005541523.tif 000014
ここに、Ｑは透水試験時に計測された流量［ｍ３／ｓ］、πは円周率、Δｈは注水孔側の間隙水圧の水頭ｈ１［ｍ］と供試体側面側の間隙水圧の水頭ｈ２［ｍ］の水頭差（ｈ１−ｈ２）［ｍ］、ｒ１は注水孔の半径［ｍ］、ｒ２は供試体の半径［ｍ］、Ｌ２は供試体の高さ［ｍ］である。また、ａはｒ１／ｒ２とＬ１／Ｌ２の関係に基づいて決定する換算係数であり、Ｌ１は注水孔の深さ［ｍ］である。
【請求項３】
換算係数を、コンピュータによる解析によって予め求めた注水孔の半径ｒ１と供試体の半径ｒ２の比（ｒ１／ｒ２）と、注水孔の深さＬ１と供試体の高さＬ２の比（Ｌ１／Ｌ２）の関係に基づいて決定することを特徴とする請求項１または２に記載の透水係数の簡易算定方法。
【請求項４】
非貫通の注水孔が同軸に設けられた円柱状の供試体の透水係数をコンピュータを用いて算定する装置であって、
透水試験時の供試体内の流れが二次元の放射流であると仮定した場合の仮の透水係数を、注水孔の非貫通効果を表す換算係数で換算することにより、透水係数を算定する演算部を備え、
演算部は、下記の式により供試体の透水係数ｋ［ｍ／ｓ］を算定することを特徴とする透水係数の簡易算定装置。
【数１４】
0005541523.tif 000015
ここに、Ｑは透水試験時に計測された流量［ｍ３／ｓ］、πは円周率、Δｈは注水孔側の間隙水圧の水頭ｈ１［ｍ］と供試体側面側の間隙水圧の水頭ｈ２［ｍ］の水頭差（ｈ１−ｈ２）［ｍ］、ｒ１は注水孔の半径［ｍ］、ｒ２は供試体の半径［ｍ］、Ｌ２は供試体の高さ［ｍ］である。また、ａはｒ１／ｒ２とＬ１／Ｌ２の関係に基づいて決定する換算係数であり、Ｌ１は注水孔の深さ［ｍ］である。
【請求項５】
非貫通の注水孔が同軸に設けられた円柱状の供試体の透水係数をコンピュータを用いて算定する装置であって、
透水試験時の供試体内の流れが二次元の放射流であると仮定した場合の仮の透水係数を、注水孔の非貫通効果を表す換算係数で換算することにより、透水係数を算定する演算部を備え、
演算部は、下記の式により供試体の透水係数ｋ［ｍ／ｓ］を算定することを特徴とする透水係数の簡易算定装置。
【数１５】
0005541523.tif 000016
ただし、上記の式中のｂは、下記の式で与えられる。
【数１６】
0005541523.tif 000017
ここに、Ｑは透水試験時に計測された流量［ｍ３／ｓ］、πは円周率、Δｈは注水孔側の間隙水圧の水頭ｈ１［ｍ］と供試体側面側の間隙水圧の水頭ｈ２［ｍ］の水頭差（ｈ１−ｈ２）［ｍ］、ｒ１は注水孔の半径［ｍ］、ｒ２は供試体の半径［ｍ］、Ｌ２は供試体の高さ［ｍ］である。また、ａはｒ１／ｒ２とＬ１／Ｌ２の関係に基づいて決定する換算係数であり、Ｌ１は注水孔の深さ［ｍ］である。
【請求項６】
コンピュータによる解析によって予め求めた注水孔の半径ｒ１と供試体の半径ｒ２の比（ｒ１／ｒ２）と、注水孔の深さＬ１と供試体の高さＬ２の比（Ｌ１／Ｌ２）と、換算係数の関係を表すデータが記憶されたデータ記憶部をさらに備え、
演算部は、データ記憶部から前記データを参照して透水係数を算定することを特徴とする請求項４または５に記載の透水係数の簡易算定装置。
【発明の詳細な説明】
【技術分野】
【０００１】
本発明は、透水係数の簡易算定方法および装置に関するものである。
【背景技術】
【０００２】
従来、岩石の透水特性を室内試験により評価する透水試験方法が知られている（例えば、非特許文献１参照）。また、岩石のせん断変形下における透水特性の変化を調べることを目的として、三軸圧縮試験の途中で透水試験を行うせん断破壊透水試験方法が知られている（例えば、特許文献１および非特許文献２参照）。
【０００３】
図５および図６に、非特許文献２のせん断破壊透水試験で用いる供試体と試験装置を示す。図５に示すように、非特許文献２のせん断破壊透水試験では、非貫通の注水孔を同軸に設けた円柱状の供試体を使用する。試験装置は、図６に示すように、供試体下端とペデスタルの間に溝付き排水板を挟む一方、供試体側面に排水材を巻いて、その外側をメンブレンで覆ったものを用いる。
【０００４】
そして、三軸圧縮試験中に供試体が所定の応力状態、または、ひずみ状態に達したときに、軸方向の変位を一定に保持した状態で定水位法によって透水試験を行う。この透水試験では、せん断破壊面が供試体に形成されたとき、その影響を考慮できるように放射流による方法を採用する。
【０００５】
具体的には、図６に示すように、注水孔と供試体側面に一定の差圧を与えると、注水孔から供試体内に流れ込んだ水は供試体側面、排水材、排水板の溝の順に通過して排水される。このときの通過流量Ｑを計測し、この流量Ｑに基づいて透水係数ｋを算定する。ここで、供試体内部の流れは完全な二次元の放射流ではないことから、供試体の透水係数ｋ［ｍ／ｓ］の算定式として非特許文献１に示される下記の放射流の理論式（１）をそのまま適用することはできない。
【０００６】
【数１】
0005541523.tif 000002
ここに、Ｑは計測された流量［ｍ３／ｓ］、ｒ１は注水孔の半径［ｍ］、ｒ２は供試体の半径［ｍ］、Ｌ２は供試体の高さ［ｍ］である。
【０００７】
このため、従来は、非特許文献２のようなコンピュータによる軸対称ＦＥＭ定常浸透流解析により繰り返し計算を行って透水係数ｋを算定していた。この解析モデルの一例を図７に示す。
【０００８】
解析の境界条件は、図７に示すように、透水試験の状態を再現するために、供試体の上下端面を不透水とし、注水孔側の間隙水圧の水頭ｈ１［ｍ］と供試体側面側の間隙水圧の水頭ｈ２［ｍ］の水頭差Δｈ（＝ｈ１−ｈ２）［ｍ］を透水試験時の間隙水圧の差圧の水頭換算値と同じになるように与える。そして、上述の軸対称ＦＥＭ定常浸透流解析により、供試体側面から排出する水の流量ｑ［ｍ３／ｓ］を求めて、その流量が透水試験時に計測された流量Ｑ［ｍ３／ｓ］と一致するまで、供試体の透水係数ｋ［ｍ／ｓ］を変えて解析を繰り返すことによって、供試体の透水係数ｋ［ｍ／ｓ］を求める。この場合の透水係数の算定手順は図８に示すとおりである。
【先行技術文献】
【特許文献】
【０００９】
【特許文献１】特開２０００−９６３１号公報
【非特許文献】
【００１０】
【非特許文献１】「岩の調査と試験」（第４８章  室内透水試験）、土質工学会（現  社団法人地盤工学会）、１９８９年９月
【非特許文献２】「軟岩の掘削影響領域における透水性変化モデルの提案」、郷家光男、岸野佑次、土木学会トンネル工学委員会、トンネル工学論文集第１９巻、ｐｐ．５９−６８、２００９年１１月
【発明の概要】
【発明が解決しようとする課題】
【００１１】
ところで、１個の透水係数を求めるためには、経験上、上記のコンピュータによる解析を少なくとも４〜５回繰り返す必要があり、透水係数を簡易かつ迅速に求めることができなかった。また、誰でも容易に算定結果をチェックすることができるというわけではなかった。このため、供試体の透水係数を簡易かつ迅速に求めることができる技術の開発が求められていた。
【００１２】
本発明は、上記に鑑みてなされたものであって、供試体の透水係数を簡易かつ迅速に求めることができる透水係数の簡易算定方法および装置を提供することを目的とする。
【課題を解決するための手段】
【００１４】
上記した課題を解決し、目的を達成するために、本発明の請求項１に係る透水係数の簡易算定方法は、非貫通の注水孔が同軸に設けられた円柱状の供試体の透水係数を算定する方法であって、透水試験時の供試体内の流れが二次元の放射流であると仮定した場合の仮の透水係数を、注水孔の非貫通効果を表す換算係数で換算することにより、透水係数を算定するものであり、下記の式により供試体の透水係数ｋ［ｍ／ｓ］を算定することを特徴とする。
【数２】
0005541523.tif 000003
ここに、Ｑは透水試験時に計測された流量［ｍ３／ｓ］、πは円周率、Δｈは注水孔側の間隙水圧の水頭ｈ１［ｍ］と供試体側面側の間隙水圧の水頭ｈ２［ｍ］の水頭差（ｈ１−ｈ２）［ｍ］、ｒ１は注水孔の半径［ｍ］、ｒ２は供試体の半径［ｍ］、Ｌ２は供試体の高さ［ｍ］である。また、ａはｒ１／ｒ２とＬ１／Ｌ２の関係に基づいて決定する換算係数であり、Ｌ１は注水孔の深さ［ｍ］である。
【００１５】
また、本発明の請求項２に係る透水係数の簡易算定方法は、非貫通の注水孔が同軸に設けられた円柱状の供試体の透水係数を算定する方法であって、透水試験時の供試体内の流れが二次元の放射流であると仮定した場合の仮の透水係数を、注水孔の非貫通効果を表す換算係数で換算することにより、透水係数を算定するものであり、下記の式により供試体の透水係数ｋ［ｍ／ｓ］を算定することを特徴とする。
【数３】
0005541523.tif 000004
ただし、上記の式中のｂは、下記の式で与えられる。
【数４】
0005541523.tif 000005
ここに、Ｑは透水試験時に計測された流量［ｍ３／ｓ］、πは円周率、Δｈは注水孔側の間隙水圧の水頭ｈ１［ｍ］と供試体側面側の間隙水圧の水頭ｈ２［ｍ］の水頭差（ｈ１−ｈ２）［ｍ］、ｒ１は注水孔の半径［ｍ］、ｒ２は供試体の半径［ｍ］、Ｌ２は供試体の高さ［ｍ］である。また、ａはｒ１／ｒ２とＬ１／Ｌ２の関係に基づいて決定する換算係数であり、Ｌ１は注水孔の深さ［ｍ］である。
【００１６】
また、本発明の請求項３に係る透水係数の簡易算定方法は、上述した請求項１または２において、換算係数を、コンピュータによる解析によって予め求めた注水孔の半径ｒ１と供試体の半径ｒ２の比（ｒ１／ｒ２）と、注水孔の深さＬ１と供試体の高さＬ２の比（Ｌ１／Ｌ２）の関係に基づいて決定することを特徴とする。
【００１８】
また、本発明の請求項４に係る透水係数の簡易算定装置は、非貫通の注水孔が同軸に設けられた円柱状の供試体の透水係数をコンピュータを用いて算定する装置であって、透水試験時の供試体内の流れが二次元の放射流であると仮定した場合の仮の透水係数を、注水孔の非貫通効果を表す換算係数で換算することにより、透水係数を算定する演算部を備え、演算部は、下記の式により供試体の透水係数ｋ［ｍ／ｓ］を算定することを特徴とする。
【数５】
0005541523.tif 000006
ここに、Ｑは透水試験時に計測された流量［ｍ３／ｓ］、πは円周率、Δｈは注水孔側の間隙水圧の水頭ｈ１［ｍ］と供試体側面側の間隙水圧の水頭ｈ２［ｍ］の水頭差（ｈ１−ｈ２）［ｍ］、ｒ１は注水孔の半径［ｍ］、ｒ２は供試体の半径［ｍ］、Ｌ２は供試体の高さ［ｍ］である。また、ａはｒ１／ｒ２とＬ１／Ｌ２の関係に基づいて決定する換算係数であり、Ｌ１は注水孔の深さ［ｍ］である。
【００１９】
また、本発明の請求項５に係る透水係数の簡易算定装置は、非貫通の注水孔が同軸に設けられた円柱状の供試体の透水係数をコンピュータを用いて算定する装置であって、透水試験時の供試体内の流れが二次元の放射流であると仮定した場合の仮の透水係数を、注水孔の非貫通効果を表す換算係数で換算することにより、透水係数を算定する演算部を備え、演算部は、下記の式により供試体の透水係数ｋ［ｍ／ｓ］を算定することを特徴とする。
【数６】
0005541523.tif 000007
ただし、上記の式中のｂは、下記の式で与えられる。
【数７】
0005541523.tif 000008
ここに、Ｑは透水試験時に計測された流量［ｍ３／ｓ］、πは円周率、Δｈは注水孔側の間隙水圧の水頭ｈ１［ｍ］と供試体側面側の間隙水圧の水頭ｈ２［ｍ］の水頭差（ｈ１−ｈ２）［ｍ］、ｒ１は注水孔の半径［ｍ］、ｒ２は供試体の半径［ｍ］、Ｌ２は供試体の高さ［ｍ］である。また、ａはｒ１／ｒ２とＬ１／Ｌ２の関係に基づいて決定する換算係数であり、Ｌ１は注水孔の深さ［ｍ］である。
【００２０】
また、本発明の請求項６に係る透水係数の簡易算定装置は、上述した請求項４または５において、コンピュータによる解析によって予め求めた注水孔の半径ｒ１と供試体の半径ｒ２の比（ｒ１／ｒ２）と、注水孔の深さＬ１と供試体の高さＬ２の比（Ｌ１／Ｌ２）と、換算係数の関係を表すデータが記憶されたデータ記憶部をさらに備え、演算部は、データ記憶部から前記データを参照して透水係数を算定することを特徴とする。
【発明の効果】
【００２１】
本発明に係る透水係数の簡易算定方法によれば、非貫通の注水孔が同軸に設けられた円柱状の供試体の透水係数を算定する方法であって、透水試験時の供試体内の流れが二次元の放射流であると仮定した場合の仮の透水係数を、注水孔の非貫通効果を表す換算係数で換算することにより、透水係数を算定するので、供試体の透水係数を簡易かつ迅速に求めることができるという効果を奏する。
【００２２】
また、本発明に係る透水係数の簡易算定装置によれば、非貫通の注水孔が同軸に設けられた円柱状の供試体の透水係数をコンピュータを用いて算定する装置であって、透水試験時の供試体内の流れが二次元の放射流であると仮定した場合の仮の透水係数を、注水孔の非貫通効果を表す換算係数で換算することにより、透水係数を算定する演算部を備えるので、供試体の透水係数を簡易かつ迅速に求めることができるという効果を奏する。
【図面の簡単な説明】
【００２３】
【図１】図１は、本発明に係る透水係数の簡易算定方法の実施例を示す概略フローチャートである。
【図２】図２は、換算係数ａとＬ１／Ｌ２の関係の一例を示す図である。
【図３】図３は、係数ｂとＬ１／Ｌ２の関係の一例を示す図である。
【図４】図４は、本発明に係る透水係数の簡易算定装置の実施例を示す概略構成図である。
【図５】図５は、透水試験に用いる供試体の外観を示す斜視図である。
【図６】図６は、透水試験の試験装置を示す断面図である。
【図７】図７は、軸対称ＦＥＭ定常浸透流解析モデルの一例を示す図である。
【図８】図８は、従来の供試体の透水係数の算定手順を示すフローチャートである。
【発明を実施するための形態】
【００２４】
上述したように、従来は透水係数を簡易かつ容易に求めることができず、また、結果のチェックも容易ではなかった。このため、本発明者は、電卓さえあれば簡単に計算できる方法として、従来の二次元の放射流による透水係数の算定式と、非貫通の効果を表す換算係数を組み合わせて、不完全な放射流でも透水係数を算定できる方法を考案した。
【００２５】
以下に、本発明に係る透水係数の簡易算定方法および装置の実施の形態を図面に基づいて詳細に説明する。なお、この実施例によりこの発明が限定されるものではない。
【００２６】
［透水係数の簡易算定方法］
まず、本発明に係る透水係数の簡易算定方法の実施例について説明する。
図１に示すように、本発明に係る透水係数の簡易算定方法は、非貫通の注水孔が同軸に設けられた円柱状の供試体の透水係数を算定する方法であって、透水試験時の供試体内の流れが二次元の放射流であると仮定した場合の仮の透水係数を求める一方（ステップＳ１）、注水孔の非貫通効果を表す換算係数ａを得る（ステップＳ２）。そして、仮の透水係数をこの換算係数ａで換算することにより、透水係数ｋを算定する（ステップＳ３）、という手順による。
【００２７】
ステップＳ１において、仮の透水係数は、透水試験で計測された流量Ｑ等から上記の放射流の理論式（１）により算定する。
【００２８】
ステップＳ２において、注水孔の非貫通効果を表す換算係数ａは、上記のコンピュータによるＦＥＭ定常浸透流解析などを用いて予め求めておく。より具体的には、解析モデル（供試体）に透水係数と水頭差を与えて、解析モデルの側面から出てくる流量を求め、その流量から放射流の理論式（１）による透水係数を算定し、最後に、解析モデルに与えた透水係数を理論式（１）から得られた透水係数で除することによってこの解析モデルの形状に対応する換算係数ａを得ることができる。
【００２９】
ここで、換算係数ａは、供試体の半径ｒ２と高さＬ２の比（ｒ２：Ｌ２）毎に、注水孔の半径ｒ１と深さＬ１に関するパラメータスタディを実施すること等によって、予め様々な供試体と注水孔の寸法と関連付けて求めておく。
【００３０】
図２は、予め求めた換算係数ａとＬ１／Ｌ２の関係の一例を示したものであり、供試体の大きさの比がｒ２：Ｌ２＝１：４の場合の関係図である。図２のような関係図を参照すれば、透水試験時の供試体と注水孔の寸法の比（Ｌ１／Ｌ２、ｒ１／ｒ２）に対応した換算係数ａを求めることができる。
【００３１】
ステップＳ３における透水係数ｋ［ｍ／ｓ］の簡易算定式を式（２）に示す。
【数８】
0005541523.tif 000009
ここに、Ｑは透水試験時に計測された流量［ｍ３／ｓ］、πは円周率、Δｈは注水孔側の間隙水圧の水頭ｈ１［ｍ］と供試体側面側の間隙水圧の水頭ｈ２［ｍ］の水頭差（ｈ１−ｈ２）［ｍ］、ｒ１は注水孔の半径［ｍ］、ｒ２は供試体の半径［ｍ］、Ｌ２は供試体の高さ［ｍ］である。また、ａはｒ１／ｒ２とＬ１／Ｌ２の関係に基づいて決定する換算係数であり、Ｌ１は注水孔の深さ［ｍ］である。
【００３２】
上記の式（２）中の換算係数ａは、上述したように、供試体と注水孔の寸法と図２より求めることができる。例えば、供試体の半径ｒ２＝２５ｍｍ、高さＬ２＝１００ｍｍ、注水孔の半径ｒ１＝３ｍｍ、深さＬ１＝８０ｍｍの場合、ｒ１／ｒ２＝０．１２、Ｌ１／Ｌ２＝０．８となって、図２からａ＝１．１６と求められる。
【００３３】
また、上記の式（２）については、
【数９】
0005541523.tif 000010
とおけば、さらに簡略化した形となる。この場合、透水係数ｋ［ｍ／ｓ］は、以下の式（３）のようになる。
【００３４】
【数１０】
0005541523.tif 000011
上記の式（３）中の係数ｂは、供試体と注水孔の寸法と図３より求めることができる。例えば、供試体の半径ｒ２＝２５ｍｍ、高さＬ２＝１００ｍｍ、注水孔の半径ｒ１＝３ｍｍ、深さＬ１＝８０ｍｍの場合、ｒ１／ｒ２＝０．１２、Ｌ１／Ｌ２＝０．８となって、図３からｂ＝０．３９１と求められる。ただし、図３も、供試体の大きさの比がｒ２：Ｌ２＝１：４の場合の関係図である。
【００３５】
上記の式（２）または式（３）により、供試体の透水係数を簡易かつ迅速に求めることができる。特に、電卓等にて一回で算定できるので透水係数を求める効率が非常に良くなる。また、電卓さえあれば誰でも計算できるので、結果のチェックも誰にでも容易にできるようになる。なお、本発明者の検証によれば、本発明により算定した透水係数と、従来の軸対称ＦＥＭ定常浸透流解析により得られた透水係数との差は数パーセント程度であったことから、実用上の精度も十分であると考えられる。
【００３６】
［透水係数の簡易算定装置］
次に、本発明に係る透水係数の簡易算定装置の実施例について説明する。
図４に示すように、本発明に係る透水係数の簡易算定装置１０は、非貫通の注水孔が同軸に設けられた円柱状の供試体の透水係数をコンピュータを用いて算定する装置であって、入力部１２と出力部１４と演算部１６とデータ記憶部１８とこれらを制御する制御部２０とを備える。
【００３７】
演算部１６は、透水試験時の供試体内の流れが二次元の放射流であると仮定した場合の仮の透水係数を、注水孔の非貫通効果を表す換算係数ａで換算することにより、透水係数ｋを算定するものである。これは、上記の式（２）または式（３）を用いる。
【００３８】
データ記憶部１８は、注水孔の半径ｒ１と供試体の半径ｒ２の比（ｒ１／ｒ２）と、注水孔の深さＬ１と供試体の高さＬ２の比（Ｌ１／Ｌ２）と、換算係数ａまたは係数ｂの関係（図２または図３参照）をデータとして記憶するものである。
【００３９】
上記の構成において、ユーザがキーボード等の入力部１２から透水試験時の供試体と注水孔の寸法や計測流量等を入力すると、制御部２０は、データ記憶部１８のデータを参照し、この透水試験時の供試体と注水孔の寸法の比（Ｌ１／Ｌ２、ｒ１／ｒ２）に対応した換算係数ａまたは係数ｂを取得して演算部１６に送信する。演算部１６は、この換算係数ａまたは係数ｂと入力部１２からの入力値とを上記の式（２）または式（３）に代入して透水係数ｋを算定する。この算定結果は、モニタ等の出力部１４に表示される。このように、本発明の簡易算定装置１０によれば、透水試験時の供試体と注水孔の寸法や計測流量等を入力するだけで、供試体の透水係数を簡易かつ迅速に求めることができる。
【００４０】
なお、本発明に係る透水係数の簡易算定方法および装置は、岩石のせん断変形下における透水特性の変化を調べることを目的とした三軸圧縮試験の途中で行う透水試験に好適である。しかし、供試体が図５に示すような形態で、試験態様が図６に示すようなものであれば、三軸圧縮試験を伴わない透水試験にも適用可能である。
【００４１】
以上説明したように、本発明に係る透水係数の簡易算定方法によれば、非貫通の注水孔が同軸に設けられた円柱状の供試体の透水係数を算定する方法であって、透水試験時の供試体内の流れが二次元の放射流であると仮定した場合の仮の透水係数を、注水孔の非貫通効果を表す換算係数で換算することにより、透水係数を算定するので、供試体の透水係数を簡易かつ迅速に求めることができる。
【００４２】
また、本発明に係る透水係数の簡易算定装置によれば、非貫通の注水孔が同軸に設けられた円柱状の供試体の透水係数をコンピュータを用いて算定する装置であって、透水試験時の供試体内の流れが二次元の放射流であると仮定した場合の仮の透水係数を、注水孔の非貫通効果を表す換算係数で換算することにより、透水係数を算定する演算部を備えるので、供試体の透水係数を簡易かつ迅速に求めることができる。
【産業上の利用可能性】
【００４３】
以上のように、本発明に係る透水係数の簡易算定方法および装置は、岩石の透水特性を評価するために、非貫通の注水孔が同軸に設けられた円柱状の供試体を使用して行う室内透水試験に有用であり、特に、供試体の透水係数を簡易かつ迅速に求めるのに適している。
【符号の説明】
【００４４】
１０  透水係数の簡易算定装置
１２  入力部
１４  出力部
１６  演算部
１８  データ記憶部
２０  制御部
【図１】
0005541523.tif 000018
【図２】
0005541523.tif 000019
【図３】
0005541523.tif 000020
【図４】
0005541523.tif 000021
【図５】
0005541523.tif 000022
【図６】
0005541523.tif 000023
【図７】
0005541523.tif 000024
【図８】
0005541523.tif 000025